(57)【要約】      （修正有）【課題】本体枠の上面又は下面と側面とで構成される角部分が欠けることを防止できる畜舎用すのこを提供する。【解決手段】畜舎用すのこ１０は、断面台形形状の複数の本体枠２０Ａ、本体枠２０Ｂ、本体枠２０Ｃと、本体枠の長手方向における両端部をそれぞれ連結する連結枠４１、連結枠４２と、を備えて枠状に形成される。本体枠２０Ｃの上面２０ａが平坦面状に形成され、本体枠２０Ｃの少なくとも一部には、本体枠２０Ｃの上面２０ａと直交する直交面部２１が形成されている。【選択図】図１
0003210958.tif 000002
【実用新案登録請求の範囲】
【請求項１】
断面台形形状の複数の本体枠と、少なくとも前記本体枠の長手方向における両端部をそれぞれ連結する連結枠と、を備えて枠状に形成される畜舎用すのこであって、
少なくとも、前記本体枠の上面が平坦面状に形成され、前記本体枠の少なくとも一部には、前記本体枠の上面と直交する直交面部が形成されていることを特徴とする畜舎用すのこ。
【請求項２】
前記直交面部は、平面視における、前記畜舎用すのこの外周縁部に配される前記本体枠の、前記畜舎用すのこの外周縁部側となる部位に配設されていることを特徴とする請求項１記載の畜舎用すのこ。
【請求項３】
前記直交面部には、牽引用ワイヤと係合可能な係合部が配設されていることを特徴とする請求項１又は２記載の畜舎用すのこ。
【請求項４】
前記本体枠は、断面形状が、上面側が長く下面側が短い、等脚台形状とされていることを特徴とする請求項１、２又は３に記載の畜舎用すのこ。
【考案の詳細な説明】
【技術分野】
【０００１】
本考案は、糞尿を床下に落とすために使用する畜舎用すのこに関するものである。
【背景技術】
【０００２】
従来の畜舎用すのことして図５に記載されるものがあり、これによれば、畜舎用すのこ１００は、三本の本体枠１１１と、本体枠１１１の長手方向における両端部及び中央部をそれぞれ連結する連結枠１１４、１１５、１１６ａ、１１６ｂと、を備えて長孔１１７を四か所有する格子状に形成されていた。
【０００３】
三本の本体枠１１１は、それぞれ断面形状が、上面１１１ａ側が長く下面１１１ｂ側が短い、等脚台形状とされ、糞尿を床下に落としやすくされていた。
【考案の概要】
【考案が解決しようとする課題】
【０００４】
上記の畜舎用すのこ１００を、搬送設備が整っている製造工場から出荷するときには、本体枠の長手方向における両端部に位置する連結枠１１４、１１５を、挟範機で挟んで運ぶことが行われる。
【０００５】
しかし、設置現場においては、搬送設備が整っておらず、図５、図６（ａ）、（ｂ）に参照するように、フォークリフトＦＬで持ち上げたり、牽引用ワイヤで牽引したりすることが行われる。上記の畜舎用すのこ１００では、本体枠１１１の上面１１１ａと側面１１１ｃとで構成される角部分が鋭角に形成されているので、フォークリフトＦＬのフォークＦで持ち上げたり、牽引用ワイヤで牽引したりすると、図６（ａ）、（ｂ）に示すように、斜めに傾いてしまい角部分が欠けてしまうという問題があった。
【０００６】
本考案は、上記事情に鑑み、本体枠の上面又は下面と側面とで構成される角部分が欠けることを防止できる畜舎用すのこを提供することを目的とする。
【課題を解決するための手段】
【０００７】
請求項１記載の考案では、断面台形形状の複数の本体枠と、少なくとも前記本体枠の長手方向における両端部をそれぞれ連結する連結枠と、を備えて枠状に形成される畜舎用すのこであって、
少なくとも、前記本体枠の上面が平坦面状に形成され、前記本体枠の少なくとも一部には、前記本体枠の上面と直交する直交面部が形成されている。
【０００８】
これによれば、フォークリフトのフォークや、牽引用ワイヤが当たる部分に直交面部を設定することで、本体枠の上面又は下面と側面とで構成される角部分が欠けてしまうことを防止することができる。
【０００９】
また、前記直交面部は、平面視における、前記畜舎用すのこの外周縁部に配される前記本体枠の、前記畜舎用すのこの外周縁部側となる部位に配設されている。
【００１０】
これによれば、フォークリフトや牽引用ワイヤで持ち上げて搬送する場合に、フォークや牽引用ワイヤを本体枠の間に通すことなく、本体枠の下方から、持ち上げたり、引っ掛けたりすることが可能となるので、搬送作業をし易くすることができる。
【００１１】
前記直交面部に、牽引用ワイヤと係合可能な係合部を配設すれば、牽引用ワイヤが本体枠の長手方向に沿って移動することを防止することができる。
【００１２】
また、前記本体枠を、断面形状が、上面側が長く下面側が短い、等脚台形状とすれば、糞尿を床下に流れやすくしたうえで、本体枠の上面と側面とで構成される角部分が欠けてしまうことを防止することができる。
【図面の簡単な説明】
【００１３】
【図１】本考案の一実施形態の畜舎用すのこの（ａ）は平面図、（ｂ）は底面図、（ｃ）は側面図、（ｂ）のＩｄ−Ｉｄ線矢視断面図である。
【図２】直交面部の部分拡大平面図である。
【図３】同実施形態の畜舎用すのこの搬送態様の説明図である。
【図４】他の実施形態の直交面部の（ａ）は部分拡大平面図、（ｂ）は図１（ｃ）に対応する側面図、（ｃ）は図１（ｄ）に対応する矢視断面図である。
【図５】従来の畜舎用すのこの（ａ）は平面図、（ｂ）は底面図、（ｃ）は側面図、（ｄ）は（ｂ）のＶｄ−Ｖｄ線矢視断面図である。
【図６】従来の畜舎用すのこの搬送態様の説明図である。
【考案を実施するための形態】
【００１４】
本考案の畜舎用すのこの一実施形態について図面に基づいて説明する。
【００１５】
畜舎用すのこ１０は、図１、２に示すように、コンクリート製で、本体枠２０と、連結枠４０と、を備えている。
【００１６】
本体枠２０（区別するときは、本体枠２０Ａ、本体枠２０Ｂ、本体枠２０Ｃとする）は、断面形状が、上面２０ａ側が長く下面２０ｂ側が短い、等脚台形状とされ、かつ、長尺状に形成されている。
【００１７】
連結枠４０は、本体枠２０の長手方向における両端部をそれぞれ連結する連結枠４１、４２と、中央部を連結する二つの中央連結枠４３、４４と、で構成されている。
【００１８】
連結枠４１、４２は、略直方体状に形成され、略平行に三本並べられた状態の本体枠２０の長手方向における端部をそれぞれ連結している。中央連結枠４３、４４は、本体枠２０の長手方向における中央部をそれぞれ連結している。
【００１９】
畜舎用すのこ１０は、長孔１１を四か所有する格子状に形成されている。
【００２０】
本考案の要部を以下に説明する。
【００２１】
本体枠２０は、図１、２に示すように、上面２０ａ及び下面２０ｂが平坦面状に形成されている。本体枠２０の側面２０ｄの一部には、本体枠２０の上面２０ａと直交する直交面部２１が形成されている。
【００２２】
本実施形態では、畜舎用すのこ１０の外周縁部に配される本体枠２０Ｃに、直交面部２１が形成される。直交面部２１は、本体枠２０の側面２０ｄに、略三角柱状の張り出しを設け、上面２０ａと直交するように設定される。
【００２３】
そして、直交面部２１は、本体枠２０Ｃの長手方向における、連結枠４１と中央連結枠４３との略中央部分と、連結枠４２と中央連結枠４３との略中央部分と、に二か所配設されている。詳説すれば、フォークリフトＦＬの二本のフォークＦで持ち上げ可能な位置、牽引用ワイヤＷで牽引し易い位置、に割り当てられている。なお、「直交」の請求項の解釈としては、物理的に「直交」であるものだけでなく、寸法公差、加工精度による製品のばらつき等、出願時の技術常識を参酌して「略直交」するものが含まれるものとする。
【００２４】
畜舎用すのこ１０の使用態様を説明する。フォークリフトＦＬで持ち上げる場合を例示する。図３に示すように、上面２０ａをフォークリフトＦＬ側、下面２０ｂをフォークリフトＦＬから離れる側に配置させて、複数並べられた畜舎用すのこ１０群を、図３における、本体枠２０Ｃの下側からフォークリフトＦＬの二本のフォークＦを進入させて、二つある直交面部２１にフォークＦの位置を合わせて持ち上げる。
【００２５】
このとき、直交面部２１は、本体枠２０の上面２０ａと直交するように形成されているので、フォークリフトＦＬの二本のフォークＦで持ち上げても、畜舎用すのこ１０が、斜めに傾かないので、本体枠２０Ｃの上面２０ａと直交面部２１とで構成される角部分が欠けてしまうことは無い。なお、牽引用ワイヤＷで牽引する場合であっても同様の作用効果を奏するといえる。
【００２６】
上記構成の畜舎用すのこ１０では、断面台形形状の複数の本体枠２０Ａ、本体枠２０Ｂ、本体枠２０Ｃと、本体枠２０Ａ、本体枠２０Ｂ、本体枠２０Ｃの長手方向における両端部をそれぞれ連結する連結枠４１、連結枠４２と、を備えて枠状に形成される畜舎用すのこであって、本体枠２０Ｃの上面２０ａが平坦面状に形成され、本体枠２０Ｃの少なくとも一部には、本体枠２０Ｃの上面２０ａと直交する直交面部２１が形成されている。
【００２７】
これによれば、フォークリフトＦＬのフォークＦや、牽引用ワイヤＷが当たる部分に直交面部２１を設定することで、本体枠２０Ｃの上面２０ａと側面２０ｄとで構成される角部分が欠けてしまうことを防止することができる。
【００２８】
また、直交面部２１は、平面視における、畜舎用すのこ１０の外周縁部に配される本体枠２０Ｃの、畜舎用すのこの外周縁部側となる部位に配設されている。
【００２９】
これによれば、フォークリフトＦＬや牽引用ワイヤＷで持ち上げて搬送する場合に、フォークＦや牽引用ワイヤＷを本体枠２０の間の長孔１１に通すことなく、本体枠２０Ｃの下方から、持ち上げたり、引っ掛けたりすることが可能となるので、搬送作業をし易くすることができる。
【００３０】
また、本体枠２０を、断面形状が、上面２０ａ側が長く下面２０ｂ側が短い、等脚台形状としているので、糞尿を床下に流れやすくしたうえで、本体枠２０の上面２０ａと側面２０ｄとで構成される角部分が欠けてしまうことを防止することができる。
【００３１】
本考案の他の実施形態を図面に基づいて説明をする。畜舎用すのこ１０と共通する構成については、同一符号を付してそれらの説明の全部又は一部を省略する。
【００３２】
図４（ａ）、（ｂ）に示すように、畜舎用すのこ１０Ａでは、本体枠２０Ｃに形成された直交面部２１Ａに、牽引用ワイヤＷと係合可能な係合部２２が配設されている。本実施形態では、本体枠２０Ｃの、外周縁側から長孔１１に向かうとともに、上面２０ａから下面２０ｂに至る、断面半球状に形成された有底溝として形成されている。
【００３３】
このような構成とすれば、牽引用ワイヤＷが本体枠２０Ｃの長手方向に沿って移動することを防止することができるので、本体枠２０の上面２０ａと側面２０ｄとで構成される角部分が欠けてしまうことを防止することができる。また、牽引用ワイヤＷが、本体枠２０Ｃの長手方向に沿って移動して、畜舎用すのこ１０Ａが傾いて落下することを防止することができる。
【００３４】
本考案の畜舎用すのこは上記構成に限定されるものではない。即ち、本考案の要旨を逸脱しない限り各種の設計変更等が可能である。以下に、変形した態様を例示する。
【００３５】
直交面部２１は、本体枠２０Ａ、本体枠２０Ｂ、本体枠２０Ｃの各側面２０ｄに設けることも可能である。この場合、長孔１１に臨む位置に直交面部２１を設けることも可能である。
【００３６】
また、直交面部２１を、本体枠２０の下面２０ｂと直交するように配設することも可能である。このような構成によれば、本体枠２０の下面２０ｂと側面２０ｄとで構成される角部分が欠けてしまうことを防止することができる。
【００３７】
また、係合部２２は、溝状に形成されたが、直交面部２１から外側に突出する凸部を二か所以上設けて、凸部間に牽引用ワイヤＷを配する構成として、係合部２２と牽引用ワイヤＷとを係合させることも可能である。
【符号の説明】
【００３８】
１０  畜舎用すのこ
１０Ａ  畜舎用すのこ
２０  本体枠
２０Ａ  本体枠
２０Ｂ  本体枠
２０Ｃ  本体枠
２０ａ  上面
２０ｂ  下面
２１  直交面部
２２  係合部
４０  連結枠
４１  連結枠
４２  連結枠
Ｗ  牽引用ワイヤ
【図１】
0003210958.tif 000003
【図２】
0003210958.tif 000004
【図３】
0003210958.tif 000005
【図４】
0003210958.tif 000006
【図５】
0003210958.tif 000007
【図６】
0003210958.tif 000008